(57)【特許請求の範囲】
【請求項１】
建物の床の下板に前後の段差を設けて、該段差間に凹部を形成し、該凹部内に間仕切り家具の底板を収容し、該下板と該底板との上面に、前後方向に連続する床板を配設し、該底板に立設した側板を該床板に貫通させたことを特徴とする間仕切り家具の組付構造。
【請求項２】
前記間仕切り家具を前後に貫通して、前記床板の上面を床面とした出入り用のトンネルを設けたことを特徴とする請求項１記載の間仕切り家具の組付構造。
【請求項３】
前記間仕切り家具の背板を板厚方向に移動可能として、該背板の前後の収納部の奥行きを可変としたことを特徴とする請求項１又は２記載の間仕切り家具の組付構造。
【発明の詳細な説明】
【技術分野】
【０００１】
本発明は、住宅等の部屋を間仕切りして二つの部屋空間を形成するための間仕切り家具の組付構造に関するものである。
【背景技術】
【０００２】
図１０は、従来の間仕切り家具の一形態を示すものである（特許文献１参照）。
【０００３】
この間仕切り家具５１は、家屋内に第一の部屋と第二の部屋とを区画形成するために、左右端及び内側の幅狭な各側板５２と、側板５２と同じ幅の上下の天板５３及び底板５４と、両部屋を仕切る幅広の背板（図示せず）と正面側の扉５５と、内側の棚板５６等とを組み合わせて、洋服ダンス５７やロッカ５８やガラス戸棚５９等といった収納部をユニット式に構成したものである。
【０００４】
左右端の側板５２はゴム材６０を介して部屋の側壁６１に隙間なく接し、天板５３と底板５４はねじ式のアジャスタ６２を介して部屋の天井６３と床板６４に押接固定され、天板５３と天井６３との間、及び底板５４と床板６４との間には、隙間を隠す化粧幅木６５が設けられている。
【０００５】
上記以外の間仕切り家具（図示せず）としては、例えば特許文献２に、一つの部屋内で事務スペースと待合スペースとを区画するために、家屋内の複数の収納部を略Ｌ字状に配置して、安定性を高めたものが記載されている。
【先行技術文献】
【特許文献】
【０００６】
【特許文献１】特開昭６０−２６１８４３号公報（第１図）
【特許文献２】特開２００９−１２１１７０号公報（図１）
【発明の概要】
【発明が解決しようとする課題】
【０００７】
しかしながら、上記従来の間仕切り家具５１にあっては、床側に固定用のアジャスタ６２を必要とするために、見栄えが悪くなったり、床板６４に傷が付きやすくなるという懸念があった。また、底板５４が床板６４よりも一段高く位置するために、収納物の出し入れをスムーズに行いにくいと共に、隣接する部屋の出入口としての貫通部を形成する場合に、底板５４が邪魔になって出入りをスムーズに行いにくく、出入口の底板５４をなくした場合には、間仕切り家具５１の強度が低下してしまうという懸念があった。また、背板（図示せず）の位置が一定であるために、第一の部屋と第二の部屋とで収納部５７〜５９の奥行きを変更したい場合に対応できないという懸念があった。
【０００８】
本発明は、上記した点に鑑み、間仕切り家具の固定を見栄えの低下や床板の傷付き等なく行うことができると共に、間仕切り家具の底板に影響されずに収納物の出し入れや出入口の通過をスムーズに行うことができ、それに加えて、間仕切り家具の表裏の収納部の奥行きを適宜変更することのできる間仕切り家具の組付構造を提供することを目的とする。
【課題を解決するための手段】
【０００９】
上記目的を達成するために、本発明の請求項１に係る間仕切り家具の組付構造は、建物の床の下板に前後の段差を設けて、該段差間に凹部を形成し、該凹部内に間仕切り家具の底板を収容し、該下板と該底板との上面に、前後方向に連続する床板を配設し、該底板に立設した側板を該床板に貫通させたことを特徴とする。
【００１０】
上記構成により、下板の凹部内に間仕切り家具の底板が収納・位置決めされ、床板で上から押さえられて固定される。底板を床板が覆うことで、底板の出っ張りがなくなる。床板から上方に突出した側板には、棚板等が適宜形態に配設される。
【００１１】
請求項２に係る間仕切り家具の組付構造は、請求項１記載の間仕切り家具の組付構造において、前記間仕切り家具を前後に貫通して、前記床板の上面を床面とした出入り用のトンネルを設けたことを特徴とする。
【００１２】
上記構成により、間仕切り家具の底板の上に配置された床板がトンネルの床面を成し、人（幼児）の出入りが底板への干渉なくスムーズに行われる。トンネルの左右両側の間仕切り家具部分が底板で連結されることで、間仕切り家具の剛性が高まる。トンネルの下側だけ底板を省略する（トンネルの左右両側の間仕切り家具部分にのみ底板を設ける）ことも可能である。
【００１３】
請求項３に係る間仕切り家具の組付構造は、請求項１又は２記載の間仕切り家具の組付構造において、前記間仕切り家具の背板を板厚方向に移動可能として、該背板の前後の収納部の奥行きを可変としたことを特徴とする。
【００１４】
上記構成により、背板を移動して間仕切り家具の前後の収納部の奥行きを適宜変更可能となる。背板の移動（固定）手段としては、例えば側板に複数列に設けたピン孔に選択的にピンを挿入し、背板に設けたケーシングをピンに嵌合係止させたり、あるいは側板間に配設した棚板の前後の端面を背板の表裏面に当接させたりすることが挙げられる。
【発明の効果】
【００１５】
請求項１記載の発明によれば、間仕切り家具の底板を床板で上から押さえることで、例えばねじ式のアジャスタ等を用いた場合に較べて、間仕切り家具の固定を見栄えの低下や床板の傷付き等なくスマートに行うことができる。また、間仕切り家具の底板が床板で完全に隠されるから、底板に干渉することなく、収納物等の出し入れをスムーズに行うことができる。
【００１６】
請求項２記載の発明によれば、間仕切り家具の底板が床板で隠され、床板の上面がトンネルの床面になるから、幼児等が底板につまずくことなくトンネルの出入りをスムーズ且つ安全に行うことができる。
【００１７】
請求項３記載の発明によれば、間仕切り家具で仕切られた前後の各部屋の収納物の多少に応じて、間仕切り家具の前後の収納部の奥行きを適宜変更することで、間仕切り家具の使い勝手を高めることができる。
【図面の簡単な説明】
【００１８】
【図１】本発明に係る間仕切り家具の組付構造の一実施形態を示す縦断面図である。
【図２】同じく間仕切り家具の組付構造を示す分解斜視図である。
【図３】置き床上に間仕切り家具とフローリングを配置した状態を示す斜視図である。
【図４】間仕切り家具の底板上にフローリングを配置した状態を示す斜視図である。
【図５】間仕切り家具の完成状態を示す斜視図である。
【図６】間仕切り家具におけるキッズトンネルの一例を示す斜視図である。
【図７】背板を厚み方向中央に配置した状態の間仕切り家具内部の側面図である。
【図８】背板を移動させた状態の間仕切り家具内部の側面図である。
【図９】側板への背板の一固定手段を示す分解斜視図である。
【図１０】従来の間仕切り家具の一形態を示す正面図である。
【発明を実施するための形態】
【００１９】
図１〜図４は、本発明に係る間仕切り家具の組付構造の一実施形態を示すものである。
【００２０】
この間仕切り家具１の組付構造は、図１，図２の如く、家屋の床側のパーティクルボード（下板）２，２’を前後の段差２ａを設けて配設し、図１の如く、前後の段差２ａ間の凹部３内に間仕切り家具１の底板４を収容嵌合して、パーティクルボード２の上面２ｂと底板４の上面４ｂとを同一の水平面とし、図１，図３，図４の如く、パーティクルボード２の上面２ｂと底板４の上面４ｂとに沿ってフローリング（床板）１６を配設したものである。なお、「前後」とは間仕切り家具１の厚み方向（各部屋の並び方向）を意味する。
【００２１】
図１，図２の如く、前後のパーティクルボード２よりも中央のパーティクルボード２’が一段低く配置され、中央のパーティクルボード２’の上側に凹部空間３が形成される。凹部３の前後の段差面２ａに底板４の前後の端面が当接して、間仕切り家具１が前後方向に位置決めされる。図１の如く、各パーティクルボード２，２’は板厚の範囲内で上下にラップすることが好ましく（凹部３の深さはパーティクルボード２の板厚以下に設定される）、その状態で各パーティクルボード２，２’の端面を相互に突き当わせるか、あるいは各端面の間に縦方向の短いパーティクルボード２ｃを介在させる。
【００２２】
図１の如く、各パーティクルボード２，２’は、段差部２ａにおいて段付５ａの受板５で支持され、受板５はねじ込み調整式の支柱６に固定され、支柱６は台座７に固定され、台座７は、セルフレベリング仕上げされた床下面９で支持されている。パーティクルボード２，２’は置き床であり、受板５と支柱６と台座７とで成る床置き治具８で置床工事が行われ、防音性や保温性が高められる。図１で、符号１０は間仕切り家具１の側板、１１は同じく扉、１２は、側板１０と扉１１とを連結するヒンジをそれぞれ示している。
【００２３】
図２の如く、パーティクルボード２，２’の凹部３は間仕切り家具１の左右方向（幅方向）に延長されている。図２においては間仕切り家具１の一部の収納部本体（符号１で代用する）を図示している。図４の如く、本例の間仕切り家具１は、凹部３に係合した水平な底板（横板）４と、底板４から垂直に立設された複数枚（本例で四枚）の側板（縦板）１０と、各側板１０の上端を連結した水平な天板（横板）１３と、各側板１０間に配置された水平な棚板（固定棚）１４とを少なくとも備えている。各側板１０の間に、前後の部屋を仕切る垂直な隔壁１８（図５）や、複数の可動棚１４（図５）等が後付けされる。
【００２４】
図４の間仕切り家具１の底板４は天板１３のように横長に連続していることが好ましいが、中央寄りの二枚の側板１０の間を除いて左右二枚の短い底板４を分離して設けることも可能である。その場合、図２の如く左右の各二枚の側板１０が短い各底板４で連結され、図４の中央寄りの二枚の側板１０は水平な固定棚板（例えば図５の符号１５）で連結補強される。
【００２５】
図２の如く、側板１０がフローリング１６の切欠溝（孔）１６ａを貫通し、側板１０の内面が切欠溝１６ａの内面に接し、側板１０の外面が隣接のフローリング１６の外面に接する。底板４の下面は凹部３の上面（中央のパーティクルボード２’の上面）に当接し、底板４の上面はフローリング１６の下面に当接して、フローリング１６で下向きに押されて中央のパーティクルボード２’の上面に押し付けられる。フローリング１６は接着剤で前後のパーティクルボード２の上面に接着固定される。この際、底板４の上面をフローリング２’の下面に接着剤で固定することも可能である。
【００２６】
何れの場合でも、パーティクルボード２に接着したフローリング１６で底板４が押さえられて、パーティクルボード２とフローリング１６との間にしっかりと固定される。これにより、少なくとも間仕切り家具１の床側の固定部材（たとえば図１０の従来例のアジャスタ６２）が不要となる。また、図３，図４の如く、底板４がフローリング１６で完全に覆われて隠されるから、底板４に起因する段差がなくなり、収納物の出し入れや、図５，図６に示すキッズトンネル（トンネル）１７への出入りがスムーズに行われる。
【００２７】
図５，図６は、間仕切り家具１の完成状態を示すものであり、図５の如く、各側板１０の間に垂直な背板１８と水平な棚板１４とが配設され、側板１０に扉１１が開閉自在に設けられ、中央寄りの二枚の側板１０の間に出入口としてのキッズトンネル１７が設けられ、キッズトンネル１７は手前側の部屋１９と奥側の部屋（図示せず）とを前後に連通している。背板１８と棚板１４とは側板１０に後述の連結具３１（図９）で固定されている。
【００２８】
本例においては、キッズトンネル１７を除いて、左右の収納部２０の底部（フローリング１６上）に台板２１をあえて配置して、収納物（図示せず）の出し入れによるフローリング１６の傷付きを防いでいる。台板２１を用いずに、フローリング１６上に掃除機等の収納物を直接収納することも可能である。キッズトンネル１７は左右の側板１０と上側の水平な中間天板（固定棚）１５と下側のフローリング１６とで囲まれて矩形状に構成されている。キッズトンネル１７の床面１６に段差がないので、幼児がつまずいたりすることなくスムーズにフローリング１６上を行き来することができる。
【００２９】
図６の如く、キッズトンネル１７内にはキッズキャスタ２２等を収納しておくことができ、キッズキャスタ３３等の出し入れもフローリング２６の上面に沿って自在に行うことができる。図６では各扉１１を閉めた状態を示している。
【００３０】
図５の如く、間仕切り家具１の天板１３は化粧幅木２５を介して部屋１９の天井２３にほぼ隙間なく接し、左右端の側板１０も部屋１９の側壁１９ａにほぼ隙間なく接している。本例の間仕切り家具１は前述の如く底板４をフローリング１６とパーティクルボード２’との間に挟み込んで固定したものであるが、天板１３側の幅木２５が天井２３に接し、側板１０が側壁１９ａに接したことで、倒れ方向の力がフローリング１６以外に天井２３や側壁１９ａにも作用して補強されることで、十分な固定強度を維持している。棚板１４の数や配置を適宜変えることで、クローゼットや物入れや引出し付きクローゼットやデスク（ミニ書斎）等を必要に応じて適宜形成することができる。
【００３１】
図７，図８は、上記間仕切り家具１の垂直な背板１８の奥行きを可変とした構造例を示すものである。
【００３２】
図７において背板１８は奥行き方向の中央に配置され、図８において背板１８は中央よりも他方の部屋２６寄りに配置されている。図７の背板１８は間仕切り家具１の幅方向中央のもので、背板１８の下側にキッズトンネル１７が設けられている。図８の背板１８は間仕切り家具１の幅方向右側又は左側のものである。各背板１８は左右及び中央の各収納部本体（符号１で代用）ごとに独立して移動させることもできる。
【００３３】
なお、間仕切り家具１の底板４は、前述の如く段付のパーティクルボード２，２’の凹部３内に収容され、底板４の上にフローリング１６が配設され、パーティクルボード２，２’は段付の治具８で支持され、治具８はセルフレベリング面９で支持されている。
【００３４】
間仕切り家具１の側板１０には、複数の等ピッチの孔２７が縦方向に複数列に設けられており、図９の如く、孔２７に着脱自在なピン２８を選択的に挿入ないし螺挿し、ピン２８で図７，図８の水平な棚板（可動棚）１４1，１４2や垂直な背板１８のケーシング部分２９を所望の位置に固定する。
【００３５】
棚板１４はピン２８に対して自重で支持させればよいが、背板１８は、例えば図９の例の如く孔部３０に短円柱状のケーシング２９を嵌め込み、ケーシング２９の溝２９ａ内に、ピン２８を挿入した状態で係止させる図示しない可撓性の係止爪（係止部）を設けたり、あるいはケーシング２９の鍔側の端面２９ｂにねじ固定されるカバー（図示せず）に、溝２９ａ内に進入してピン２８の抜け止めをする係止突部（係止部）を設けたりすることで、背板１８の倒れを防止することができる。これら係止部を有するケーシング２９とピン２８とで金属製ないし合成樹脂製の連結具３１が構成される。
【００３６】
あるいは、図７，図８に示すように、背板１８の表面１８ａと裏面１８ｂとに前後の各種長さの棚板１４の端面１４ａを当接させることで、背板１８の倒れを防ぐことも可能である。棚板１４は図９の背板１８と同様に市販のケーシング２９（係止部は形成されていない）を備えており、側板１０から突出したピン２８にケーシング２９の溝２９ａを上から係合させ、溝２９ａの終端面にピン２８を当接停止させる。少なくとも背板１８の倒れ方向の面（表面又は裏面）に棚板１４の端面１４ａを当接させる。連結具３１を用いなくとも、背板１８の表面と裏面とに前後の各棚板１４の端面１４ａを当接させれば、背板１８の倒れは防止することができる。
【００３７】
図７の例では前後の各収納部２０において同じ長さの棚板１４，１４1を用い、図８の例では前側の収納部２０において長い棚板１４と短い棚板１４2とを用い、後側の収納部２０において短い棚板１４2を用いて、各棚板１４の端面１４ａを背板１８の表裏面１８ａ，１８ｂに当接させている。各棚板１４と各ピン２８を外して、背板１８を所望の位置に移動させ、各ピン２８と各棚板１４を装着して背板１８を表裏から挟むように確実に固定することができる。
【００３８】
なお、上記実施形態においては、下板としてパーティクルボード（チップボード）２を用いたが、パーティクルボード２に代えて高強度の石膏ボードや木板等を用いることも可能である。また、床板としてフローリング１６に代えてタイル等を用いることも可能である。また、上記実施形態においては、間仕切り家具の組付構造として説明したが、本発明は、それ以外に間仕切り家具の施工方法等としても有効なものである。
【産業上の利用可能性】
【００３９】
本発明に係る間仕切り家具の組付構造は、住宅やオフィスや各種教室等において、床板として例えばフローリングを配置する部屋を二つに仕切るために利用することができる。
【符号の説明】
【００４０】
１        間仕切り家具
２，２’  パーティクルボード（下板）
２ａ      段差
３        凹部
４        底板
１０      側板
１６      フローリング（床板）
１７      キッズトンネル（トンネル）
１８      背板
２０      収納部
【図１】
0005425588.tif 000002
【図２】
0005425588.tif 000003
【図３】
0005425588.tif 000004
【図４】
0005425588.tif 000005
【図５】
0005425588.tif 000006
【図６】
0005425588.tif 000007
【図７】
0005425588.tif 000008
【図８】
0005425588.tif 000009
【図９】
0005425588.tif 000010
【図１０】
0005425588.tif 000011